(57)【要約】  【課題】  極めて簡単かつ高速に補正曲線（階調補正テーブル）が異常であるか否かを判定し、また、補正曲線（階調補正テーブル）が異常である場合に補正曲線（階調補正テーブル）の修正処理を行なう映像判定装置、該映像判定装置が搭載された表示装置などを提供する。  【解決手段】  記憶部１７は、予め該表示装置用に作成された階調補正テーブル（標準階調補正テーブル）を格納するための第１記憶部１７ａ，利用者などが独自に作成した１又は複数の階調補正テーブル（ユーザ階調補正テーブル）を格納するための第２記憶部１７ｂとからなる。データ処理部１８は、利用者により設定された階調補正テーブルを差分処理する差分処理部１８ａ，階調補正テーブルの各点の差分値に基づいて階調補正テーブルが異常であるか否かを判定する判定処理部１８ｂ，階調補正テーブルが異常であると判定された場合に階調補正テーブルを修正処理する修正処理部１８ｃを備えている。【選択図】        図１
2006340225.tif 000002
【特許請求の範囲】
【請求項１】
映像信号の信号レベルを補正すべく、入力レベルと出力レベルとが関連付けられた補正曲線の出力レベルを入力レベルで微分処理を行なう微分処理手段と、
微分値の正負に基づいて前記補正曲線が異常であるか否かを判定する判定手段と
を備えることを特徴とする映像判定装置。
【請求項２】
前記補正曲線は、一の階調度に対応しており、
前記微分処理部は、前記補正曲線を他の階調度に対応させる場合に微分処理を行なうようにしてあること
を特徴とする請求項１に記載の映像判定装置。
【請求項３】
前記補正曲線が異常であると判定された場合、前記補正曲線を修正する手段を備えること
を特徴とする請求項１又は請求項２に記載の映像判定装置。
【請求項４】
映像信号の信号レベルを補正すべく、入力レベルと出力レベルとが対応付けられた階調補正テーブルの２つの入力レベルに対応する出力レベルの差分値を算出する差分算出手段と、
算出した差分値の正負に基づいて前記階調補正テーブルが異常であるか否かを判定する手段と
を備えることを特徴とする映像判定装置。
【請求項５】
前記階調補正テーブルは、一の階調度に対応しており、
前記差分算出手段は、前記階調補正テーブルを他の階調度に対応させる場合に差分値を算出するようにしてあること
を特徴とする請求項４に記載の映像判定装置。
【請求項６】
前記階調補正テーブルが異常であると判定された場合、前記階調補正テーブルを修正する手段を備えること
を特徴とする請求項４又は請求項５に記載の映像判定装置。
【請求項７】
映像信号を取得する映像信号取得手段と、
請求項３に記載の映像判定装置と、
該映像判定装置が修正した補正曲線に基づいて、前記映像信号取得手段が取得した映像信号の信号レベルを補正する補正手段と、
該補正手段が信号レベルを補正した映像信号に係る映像を表示する表示部と
を備えることを特徴とする表示装置。
【請求項８】
映像信号を取得する映像信号取得手段と、
請求項６に記載の映像判定装置と、
該映像判定装置が修正した階調補正テーブルに基づいて、前記映像信号取得手段が取得した映像信号の信号レベルを補正する補正手段と、
該補正手段が信号レベルを補正した映像信号に係る映像を表示する表示部と
を備えることを特徴とする表示装置。
【請求項９】
映像信号の信号レベルを補正すべく、入力レベルと出力レベルとが関連付けられた補正曲線が異常であるか否かを判定するためのコンピュータプログラムであって、
コンピュータに、前記補正曲線の出力レベルを入力レベルで微分処理を行なわせるステップと、
コンピュータに、微分値の正負に基づいて前記補正曲線が異常であるか否かを判定させるステップと
を実行させることを特徴とするコンピュータプログラム。
【請求項１０】
映像信号の信号レベルを補正すべく、入力レベルと出力レベルとが対応付けられた階調補正テーブルが異常であるか否かを判定するためのコンピュータプログラムであって、
コンピュータに、前記階調補正テーブルの２つの入力レベルに対応する出力レベルの差分値を算出させるステップと、
コンピュータに、差分値の正負に基づいて前記階調補正テーブルが異常であるか否かを判定させるステップと
を実行させることを特徴とするコンピュータプログラム。
【発明の詳細な説明】
【技術分野】
【０００１】
本発明は、映像信号の信号レベルを補正するための補正曲線又は階調補正テーブルが異常であるか否かを判定し、また、異常であると判定された場合に補正曲線（階調補正テーブル）を修正する映像判定装置、該映像判定装置が搭載された表示装置、及び映像判定装置としての機能をコンピュータで実現するためのコンピュータプログラムに関する。
【背景技術】
【０００２】
液晶ディスプレイ、ＣＲＴディスプレイ、プラズマディスプレイ、電界放出型ディスプレイ（ＦＥＤ）などの表示装置（プロジェクタを含む）は、装置自体毎にその光学特性がバラバラであり、色特性の管理及び統一を図るために補正曲線（図９（ａ））を設定し、この補正曲線に基づいて各色の発光強度を調整して表示色を設定する。例えば、補正曲線に対応して、映像信号の信号レベルを変更するための階調補正テーブル（図９（ｂ））をメモリに記憶しておき、入力された映像信号を階調補正テーブルに基づいて信号レベルを変更して出力する。
【０００３】
階調補正テーブルは、映像信号の補正を自由に行なうもので、デジタル化された階調データを任意の階調に補正するための入力レベルと出力レベルの対照表のことである。階調補正テーブルを用いて映像信号を補正し、例えば「暗い部分の輝度を上げる」といったような詳細な補正が可能になる。
【特許文献１】特開２００２−１１６７５０号公報
【発明の開示】
【発明が解決しようとする課題】
【０００４】
ところで、階調補正テーブルが、図１０に示すように、入力レベル２０９に対応する出力レベルが９１０、入力レベル２１０に対応する出力レベルが９００、入力レベル２１１に対応する出力レベルが９１８であって、入力レベル２１０にて出力レベルが反転する異常状態である場合であっても、利用者は異常であることに気付くことなく、作成した階調補正テーブルのデータを表示装置へ送信していた。使用者は、表示装置に表示された映像を見て、初めて階調補正テーブルに不具合があったことを把握し、階調補正テーブルを再作成していた。例えば、図１０に示すような階調補正テーブルのもとでステップラダーのような階調表示を行なった場合、図１１に示すように、入力レベルが２１０に対応する位置に明暗が反転した映像が表示されてしまうという問題があった。したがって、使用者が手動で修正する必要があり、また修正の度に階調補正テーブルのデータを再送信しなければならず、時間と手間がかかるという問題があった。このように、従来の技術では階調補正テーブルの作成と修正とを繰り返す虞があり、階調補正テーブルの異常を自動的に検出し、さらに自動的に階調補正テーブルの修正処理を行なえる技術が要望されていた。
【０００５】
また、表示装置が２５６階調の表示が可能である場合、６４階調用の補正曲線では表示装置が有する表示能力を十分に発揮することができない。階調とは、色や明るさが変化する段階であり、階調が多いほど、色や明るさの変化を滑らかに表現することができ、自然界の連続的な色の変化を再現できる。このような場合、従来、図１２に示すように、２５６階調を４階調毎に区切り、６４階調での０レベルを２５６階調での０〜３レベルに、６４階調での１レベルを２５６階調での４〜７レベルに、…、６４階調での６３レベルを２５６階調での２５２〜２５５レベルに設定していた。したがって、例えば、映像信号の入力レベルが、０〜３レベルであるものは、同一の発光強度となってしまい、表示能力を十分に発揮していなかった。
【０００６】
本発明は斯かる事情に鑑みてなされたものであり、極めて簡単かつ高速に補正曲線（補正曲線に対応する階調補正テーブル）が異常であるか否かを判定することができる映像判定装置及びコンピュータプログラムの提供を目的とする。
【０００７】
また本発明は、補正曲線（補正曲線に対応する階調補正テーブル）が異常である場合に補正曲線（階調補正テーブル）の修正を行なう映像判定装置の提供を目的とする。
【０００８】
また本発明は、補正曲線（補正曲線に対応する階調補正テーブル）を記憶するための記憶容量が節約でき、複数（多く）の階調補正テーブルを記憶することができ、また色再現性が優れる表示装置の提供を目的とする。
【課題を解決するための手段】
【０００９】
本発明に係る映像判定装置は、映像信号の信号レベルを補正すべく、入力レベルと出力レベルとが関連付けられた補正曲線の出力レベルを入力レベルで微分処理を行なう微分処理手段と、微分値の正負に基づいて前記補正曲線が異常であるか否かを判定する判定手段とを備えることを特徴とする。
【００１０】
本発明に係る映像判定装置は、前記補正曲線は、一の階調度に対応しており、前記微分処理部は、前記補正曲線を他の階調度に対応させる場合に微分処理を行なうようにしてあることを特徴とする。
【００１１】
本発明に係る映像判定装置は、前記補正曲線が異常であると判定された場合、前記補正曲線を修正する手段を備えることを特徴とする。
【００１２】
本発明に係る映像判定装置は、映像信号の信号レベルを補正すべく、入力レベルと出力レベルとが対応付けられた階調補正テーブルの２つの入力レベルに対応する出力レベルの差分値を算出する差分算出手段と、算出した差分値の正負に基づいて前記階調補正テーブルが異常であるか否かを判定する手段とを備えることを特徴とする。
【００１３】
本発明に係る映像判定装置は、前記階調補正テーブルは、一の階調度に対応しており、前記差分算出手段は、前記階調補正テーブルを他の階調度に対応させる場合に差分値を算出するようにしてあることを特徴とする。
【００１４】
本発明に係る映像判定装置は、前記階調補正テーブルが異常であると判定された場合、前記階調補正テーブルを修正する手段を備えることを特徴とする。
【００１５】
本発明に係る表示装置は、映像信号を取得する映像信号取得手段と、上述した映像判定装置と、該映像判定装置が修正した補正曲線に基づいて、前記映像信号取得手段が取得した映像信号の信号レベルを補正する補正手段と、該補正手段が信号レベルを補正した映像信号に係る映像を表示する表示部とを備えることを特徴とする。
【００１６】
本発明に係る表示装置は、映像信号を取得する映像信号取得手段と、上述した映像判定装置と、該映像判定装置が修正した階調補正テーブルに基づいて、前記映像信号取得手段が取得した映像信号の信号レベルを補正する補正手段と、該補正手段が信号レベルを補正した映像信号に係る映像を表示する表示部とを備えることを特徴とする。
【００１７】
本発明に係るコンピュータプログラムは、映像信号の信号レベルを補正すべく、入力レベルと出力レベルとが関連付けられた補正曲線が異常であるか否かを判定するためのコンピュータプログラムであって、コンピュータに、前記補正曲線の出力レベルを入力レベルで微分処理を行なわせるステップと、コンピュータに、微分値の正負に基づいて前記補正曲線が異常であるか否かを判定させるステップとを実行させることを特徴とする。
【００１８】
本発明に係るコンピュータプログラムは、映像信号の信号レベルを補正すべく、入力レベルと出力レベルとが対応付けられた階調補正テーブルが異常であるか否かを判定するためのコンピュータプログラムであって、コンピュータに、前記階調補正テーブルの２つの入力レベルに対応する出力レベルの差分値を算出させるステップと、コンピュータに、差分値の正負に基づいて前記階調補正テーブルが異常であるか否かを判定させるステップとを実行させることを特徴とする。
【００１９】
本発明にあっては、映像信号の入力レベルと出力レベルとが関連付けられた補正曲線の出力レベルを入力レベルで微分処理を行なう。これにより、微分値が正である場合は補正曲線が右上がりであることが、微分値が負である場合は補正曲線が右下がりであることがわかる。一般に、補正曲線は、単調に増加（右上がり）、又は単調に減少（右下がり）でない場合、明暗の反転が生じて色再現などに支障をきたしてしまう。そこで、補正曲線で微分処理を行なうことにより得られた微分値に基づいて補正曲線が異常であるか否かを判定することができる。したがって、補正曲線の微分という極めて簡単な処理によって、補正曲線が異常であるか否かを素早く判定することができる。また、従来、表示装置に映像を表示した場合であっても、映像信号の信号パターンによっては、補正曲線の異常を利用者が把握することができない虞があったが、数値演算によって補正曲線の異常を判断することから、そのような虞はない。
【００２０】
本発明にあっては、補正曲線が一の階調度（例えば６４階調）に対応しており、その補正曲線を他の階調度（例えば２５６階調）に対応させる場合に微分処理を行なって、得られた微分値に基づいて補正曲線がより高階調度に対応しているか否かを判定する。例えば、補正曲線が６４階調を有する階段状（ステップファンクション）である場合、微分処理することによって得られた微分値がゼロとなる入力レベルが存在する。微分値がゼロである入力レベルの前後では、映像信号の入力レベルが異なっていた場合であっても、同一の出力レベルに補正されてしまう。したがって、この補正曲線を高階調度に対応させることは不可能である。このように、補正曲線の微分という極めて簡単な処理によって、補正曲線が他の高階調度に対応しているか否かを素早く判定することができる。
【００２１】
本発明にあっては、補正曲線が異常であると判定された場合に補正曲線を修正する。このように、補正曲線の異常を自動的に検出し、さらに自動的に補正曲線の修正処理を行なえるので、利用者は、補正曲線の作成と修正とを繰り返す必要がなくなる。
【００２２】
本発明にあっては、入力レベルと出力レベルとが対応付けられた階調補正テーブルの２つの入力レベルに対応する出力レベルの差分値の算出を行なう。これにより、階調補正テーブルに対応する補正曲線が右上がりであるか、それとも右下がりであるかを判定することができる。つまり、差分値が正である場合は補正曲線が右上がりであることが、差分値が負である場合は補正曲線が右下がりであることがわかる。そこで、算出した差分値に基づいて、階調補正テーブルが異常であるか否かを判定することができる。したがって、差分という極めて簡単な処理によって、階調補正テーブルが異常であるか否かを素早く判定することができる。また、従来、表示装置に映像を表示した場合であっても、映像信号の信号パターンによっては、階調補正テーブルの異常を利用者が把握することができない虞があったが、数値演算によって階調補正テーブルの異常を判断することから、そのような虞はない。
【００２３】
本発明にあっては、階調補正テーブルが一の階調度（例えば６４階調）に対応しており、その階調補正テーブルを他の階調度（例えば２５６階調）に対応させる場合に差分処理を行なって、得られた差分値に基づいて階調補正テーブルがより高階調度に対応しているか否かを判定する。差分値がゼロである入力レベルの前後では、映像信号の入力レベルが異なっていた場合であっても、同一の出力レベルに補正されてしまう。したがって、この階調補正テーブルを高階調度に対応させることは不可能である。このように、階調補正テーブルの差分という極めて簡単な処理によって、階調補正テーブルが他の高階調度に対応しているか否かを素早く判定することができる。
【００２４】
本発明にあっては、階調補正テーブルが異常であると判定された場合に階調補正テーブルを修正する。このように、階調補正テーブルの異常を自動的に検出し、さらに自動的に階調補正テーブルの修正処理を行なえるので、利用者は、階調補正テーブルの作成と修正とを繰り返す必要がなくなる。
【００２５】
本発明にあっては、補正曲線に対して微分処理を行ない、得られた微分値の正負に基づいて補正曲線が異常であるか否かを判定し、異常であると判定された場合に補正曲線を修正する。そして、修正した補正曲線に基づいて、取得した映像信号の信号レベルを補正し、補正した映像信号に係る映像を表示部に表示する。これにより、補正曲線の異常を自動的に検出し、さらに自動的に補正曲線の修正処理を行なえるので、利用者は、補正曲線の作成と修正とを繰り返す必要がなくなるとともに、表示部には不具合のある映像が表示されることはない。
【００２６】
本発明にあっては、階調補正テーブルに対して差分処理を行ない、得られた差分値の正負に基づいて階調補正テーブルが異常であるか否かを判定し、異常であると判定された場合に階調補正テーブルを修正する。そして、修正した階調補正テーブルに基づいて、取得した映像信号の信号レベルを補正し、補正した映像信号に係る映像を表示部に表示する。これにより、階調補正テーブルの異常を自動的に検出し、さらに自動的に階調補正テーブルの修正処理を行なえるので、利用者は、階調補正テーブルの作成と修正とを繰り返す必要がなくなるとともに、表示部には不具合のある映像が表示されることはない。
【発明の効果】
【００２７】
本発明によれば、入力レベルと出力レベルとが関連付けられた補正曲線の出力レベルを入力レベルで微分処理を行ない、得られた微分値に基づいて補正曲線が異常であるか否かを判定する構成としたので、補正曲線の微分という極めて簡単な処理によって補正曲線が異常であるか否かを素早く判定することができる。また、従来、表示装置に映像を表示した場合であっても、映像信号の信号パターンによっては、補正曲線の異常を利用者が把握することができない虞があったが、数値演算によって補正曲線の異常を判断することから、そのような虞はない。また、補正曲線が異常であるか否かの判定結果を利用者に報知するようにすれば、表示装置に映像を表示するまでもなく、利用者は、補正曲線に不具合があったことを把握し、補正曲線の再作成などの対応を行なうことができる。
【００２８】
本発明によれば、補正曲線が一の階調度に対応しており、その補正曲線を他の階調度に対応させる場合に微分処理を行なって、得られた微分値に基づいて補正曲線が他の階調度に対応しているか否かを判定する構成としたので、補正曲線の微分という極めて簡単な処理によって、補正曲線が他の階調度（例えば高階調度）に対応しているか否かを素早く判定することができる。
【００２９】
本発明によれば、補正曲線が異常であると判定された場合に補正曲線を修正する構成としたので、補正曲線の異常を自動的に検出し、さらに自動的に補正曲線の修正処理を行なえるので、利用者は、補正曲線の作成と修正とを繰り返す必要がなくなる。
【００３０】
本発明によれば、入力レベルと出力レベルとが対応付けられた階調補正テーブルの２つの入力レベルに対応する出力レベルの差分値の算出を行ない、算出した差分値に基づいて階調補正テーブルが異常であるか否かを判定する構成としたので、差分という極めて簡単な処理によって、階調補正テーブルが異常であるか否かを素早く判定することができる。また、従来、表示装置に映像を表示した場合であっても、映像信号の信号パターンによっては、階調補正テーブルの異常を利用者が把握することができない虞があったが、数値演算によって階調補正テーブルの異常を判断することから、そのような虞はない。また、階調補正テーブルが異常であるか否かの判定結果を利用者に報知するようにすれば、表示装置に映像を表示するまでもなく、利用者は、階調補正テーブルに不具合があったことを把握し、階調補正テーブルの再作成などの対応を行なうことができる。
【００３１】
本発明によれば、階調補正テーブルが一の階調度に対応しており、その階調補正テーブルを他の階調度に対応させる場合に差分処理を行なって、算出された差分値に基づいて階調補正テーブルがより他の階調度に対応しているか否かを判定する構成としたので、階調補正テーブルの差分という極めて簡単な処理によって、階調補正テーブルが他の階調度（例えば高階調度）に対応しているか否かを素早く判定することができる。
【００３２】
本発明によれば、階調補正テーブルが異常であると判定された場合に階調補正テーブルを修正する構成としたので、階調補正テーブルの異常を自動的に検出し、さらに自動的に階調補正テーブルの修正処理を行なえるので、利用者は、階調補正テーブルの作成と修正とを繰り返す必要がなくなる。
【００３３】
本発明によれば、補正曲線に対して微分処理を行ない、得られた微分値の正負に基づいて補正曲線が異常であるか否かを判定し、異常であると判定された場合に補正曲線を修正し、修正した補正曲線に基づいて、取得した映像信号の信号レベルを補正し、補正した映像信号に係る映像を表示部に表示する構成としたので、補正曲線の異常を自動的に検出し、さらに自動的に補正曲線の修正処理を行なえるので、利用者は、補正曲線の作成と修正とを繰り返す必要がなくなるとともに、表示部には不具合のある映像が表示されることはない。
【００３４】
本発明によれば、階調補正テーブルに対して差分処理を行ない、得られた差分値の正負に基づいて階調補正テーブルが異常であるか否かを判定し、異常であると判定された場合に階調補正テーブルを修正し、修正した階調補正テーブルに基づいて、取得した映像信号の信号レベルを補正し、補正した映像信号に係る映像を表示部に表示する構成としたので、階調補正テーブルの異常を自動的に検出し、さらに自動的に階調補正テーブルの修正処理を行なえるので、利用者は、階調補正テーブルの作成と修正とを繰り返す必要がなくなるとともに、表示部には不具合のある映像が表示されることはない。また、例えば、２５６階調の表示が可能な表示装置において、６４階調用の階調補正テーブルを記憶するようにしておき、映像を表示する場合に、６４階調用の階調補正テーブルを２５６階調用の階調補正テーブルに修正するようにすれば、記憶部には低階調度の階調補正テーブルを記憶すればよいことから、記憶容量が節約でき、複数（多く）の階調補正テーブルを記憶することができる。また、映像を表示する場合には、高階調度の階調補正テーブルに修正することから色再現性が劣ることもない等、優れた効果を奏する。
【発明を実施するための最良の形態】
【００３５】
以下、本発明をその実施の形態を示す図面に基づいて詳述する。
【００３６】
（実施の形態１）
図１は本発明の実施の形態１に係る映像判定装置が搭載された表示装置の構成を含むシステムの一例を示すブロック図である。
本発明の実施の形態１に係る表示装置１は、ＣＰＵで構成された制御部１０を備えている。制御部１０は、ＲＯＭ１１，ＲＡＭ１２，通信部１３，操作部１４，映像信号入力部１５，映像信号出力部（表示部）１６，記憶部１７，データ処理部１８と接続され、これら各部を制御し、ＲＯＭ１１に予め格納されているコンピュータプログラムに従って種々の機能を実行する。
【００３７】
ＲＯＭ１１は、書き換え困難な不揮発性メモリであり、ＲＯＭ１１には、映像信号の信号レベルを補正するための階調補正テーブルの２つの入力レベル（ここでは隣り合う入力レベル）に対応する出力レベルを差分して差分値を算出させるステップと、差分値に基づいて前記階調補正テーブルが異常であるか否かを判定するステップと、階調補正テーブルが異常であると判定された場合に階調補正テーブルを修正させるステップとを含んだコンピュータプログラムが格納されている。ＲＡＭ１２は、制御部１０によるコンピュータプログラムの実行時に発生する一時的なデータを記憶するもので、例えばＤＲＡＭ、ＳＤＲＡＭなどにより構成される。
【００３８】
通信部１３は、接続ケーブルを介して階調補正テーブル作成装置５と接続するためのものであり、階調補正テーブル作成装置５の間で映像信号の信号レベルを補正するための階調補正テーブルに係るデータの送受信を行なう。ここでは、単なる接続ケーブルを介して接続するようにしたが、ＬＡＮのような通信ネットワークで接続されている形態であってもよい。階調補正テーブル作成装置５は、利用者によって階調補正テーブルを作成する装置である。階調補正テーブルとは、入力映像の階調（入力レベル）によって、出力映像の階調（出力レベル）が一意に決定されるような参照表であって、ルック・アップ・テーブルを用いて規定する。
【００３９】
操作部１４は、表示装置１を操作するための各種のファンクションキーを備えている。本発明に特徴的なファンクションキーは修正処理実行キー１４ａであり、利用者によって修正処理実行キー１４ａが押下されることで、階調補正テーブルが異常であるか否かを判定し、異常であると判定した場合には修正処理が実行される。
【００４０】
映像信号入力部１５は、例えばアンテナに接続され、映像信号を表示装置１に取り込む。表示部１６は、液晶ディスプレイ又はＬＥＤディスプレイなどの表示デバイスである。なお、表示部１６をタッチパネル方式とすることにより、操作部１４の各種のファンクションキーのうちの一部又は全部を代用することも可能である。
【００４１】
記憶部１７は、表示装置１の製造者などが予め該表示装置用に作成した１又は複数の階調補正テーブル（標準階調補正テーブル）を格納するための第１記憶部１７ａ，表示装置１の利用者などが独自に作成した１又は複数の階調補正テーブル（ユーザ階調補正テーブル）を格納するための第２記憶部１７ｂから構成される。第１記憶部１７ａは、利用者が勝手に書き換えることが無きように、マスクＲＯＭのような書き換え困難な不揮発性メモリで構成される。もちろん、第１記憶部１７ａとＲＯＭ１１とが共用されていてもよい。一方、第２記憶部１７ｂは、書き換えが容易な不揮発性メモリで構成される。書き換えが容易な不揮発性メモリとは、例えばＥＥＰＲＯＭのようないわゆるフラッシュメモリであり、電力の供給が遮断された場合であっても、記憶した情報を保持できるものである。
【００４２】
例えば、階調補正テーブル作成装置５から送信された階調補正テーブルは、ユーザ階調補正テーブルとして第２記憶部１７ｂに記憶される。また、第１記憶部１７ａに記憶されている標準階調補正テーブルを読み出して、ユーザ階調補正テーブルとして第２記憶部１７ｂに記憶されるようにしてもよい。
【００４３】
データ処理部１８は、本発明に係る映像判定装置に相当し、記憶部１７に記憶されている階調補正テーブル（ここではユーザ階調補正テーブル）が異常であるか否かを判定し、異常であると判定した場合に階調補正テーブルを修正処理するためのブロックであって、差分処理部１８ａ，判定処理部１８ｂ，修正処理部１８ｃを備えている。
【００４４】
差分処理部１８ａは、利用者により設定された階調補正テーブルの２つの入力レベルに対応する出力レベルの差分値を算出する。例えば、補正曲線に対応する階調補正テーブルの各入力レベルに対して、その入力レベルと隣り合う出力レベルの差分値を算出する（図２）。例えば、入力レベル２０９に対する出力レベルが９１０、入力レベル２１０に対する出力レベルが９００、入力レベル２１１に対する出力レベルが９１８である場合、入力レベル２０９，２１０間の差分値−１０、入力レベル２１０，２１１間の差分値＋１８を算出する。
【００４５】
判定処理部１８ｂは、差分処理部１８ａによって算出された階調補正テーブルの各入力レベルの差分値に基づいて、階調補正テーブルが異常であるか否かを判定するものである。一般に、差分値が正である場合は、階調補正テーブルに対応する補正曲線が右上がりであることが、差分値が負である場合は補正曲線が右下がりであることがわかる。そこで、算出した差分値に基づいて、階調補正テーブルが異常であるか否かを判定することができる。本例では、差分値が負である場合、階調補正テーブルが異常であると判定する。修正処理部１８ｃは、階調補正テーブルが異常であると判定された場合に、階調補正テーブルを修正処理するものである。
【００４６】
本例では、階調補正テーブルが異常であると判定された場合に、移動平均による平滑化処理を行なうことによって階調補正テーブルの修正を行なう。ところで、階調補正テーブルを単に平滑化処理した場合、階調補正テーブルの上限（入力レベル：２５６）及び下限（入力レベル：０）の出力レベルが変更されるため、平滑化処理によって階調補正テーブルがさらに悪化する虞がある。そこで、本例では、平滑化処理を行なった場合であっても、階調補正テーブルの上限及び下限の出力レベルが変更されることのないようにする。
【００４７】
次に、平滑化処理の具体例について説明する。データがｙ0 ，ｙ1 ，ｙ2 ，…,ｙN （データ総数がＮ＋１個）、移動平均のデータ個数が２M＋１（Ｍ：自然数）とした場合、データｙn の移動平均後のデータＹn は、（式１）のように表現される。
【００４８】
【数１】
2006340225.tif 000003
【００４９】
これにより、例えば、データｙN-M+1 の移動平均後のデータＹN-M+1 は、（式２）のように表現される。
【００５０】
【数２】
2006340225.tif 000004
【００５１】
ところで、（式２）の分子の第３項は、（ｙN-M+2 ）＋（ｙN-M+3 ）＋…＋（yN+1 ）となることから、実際には存在しないデータｙN+1 が含まれることになる。同様に、ＹN-M+1 〜ＹN までのデータについては、移動平均を算出するために必要なデータｙN+1 ,ｙN+2 ,…,ｙN+M が存在しない。
【００５２】
そこで、（式３）のようなデータｙN+1 ,ｙN+2 ,…,ｙN+M を仮想的に追加し、移動平均後のデータＹN-M+1 〜ＹN を算出する。
【００５３】
【数３】
2006340225.tif 000005
【００５４】
この仮想的データの追加は、図３に示すように、ｙN 以前のデータ（データｙN-M ，ｙN-M+1 ，…，ｙN-1 ：図３の黒丸）をｙN に対して点対称に投影した位置に配置する（図３の白丸）ことと等価である。ｙN+1 ＝ｙN ＋Ａ１´であり、Ａ１＝Ａ１´、かつＡ１＝ｙN −ｙN-1 であることから、ｙN+1 ＝ｙN ＋(ｙN −ｙN-1 )となり、ｙN+1 ＝２ｙN −ｙN-1 となる。また、ｙN+2 ＝ｙN ＋Ａ２´であり、Ａ２＝Ａ２´、かつＡ２＝ｙN −ｙN-2 であることから、ｙN+2 ＝ｙN ＋(ｙN −ｙN-2 )となり、ｙN+2 ＝２ｙN −ｙN-2 となる。同様にして、ｙN+M ＝ｙN ＋ＡＭ´であり、ＡＭ＝ＡＭ´、かつＡＭ＝ｙN −ｙN-M であることから、ｙN+M ＝ｙN ＋(ｙN −ｙN-M )となり、ｙN+M ＝２ｙN −ｙN-M となる。
【００５５】
全く同様に、他方の端点、すなわちＹ0 についても上述と同様である。つまり、図４に示すように、仮想的データｙ-1，ｙ-2，…，ｙ-M：図４の黒丸）をｙ0 に対して点対称に投影した位置に配置する（図４の白丸）。ｙ-1＝ｙ0 ＋Ｂ１´であり、Ｂ１＝Ｂ１´、かつＢ１＝ｙ0 −ｙ1 であることから、ｙ-1＝ｙ0 ＋(ｙ0 −ｙ1 )となり、ｙ-1＝２ｙ0 −ｙ1 となる。また、ｙ-2＝ｙ0 ＋Ｂ２´であり、Ｂ２＝Ｂ２´、かつＢ２＝ｙ0 −ｙ2 であることから、ｙ-2＝ｙ0 ＋(ｙ0 −ｙ2 )となり、ｙ-2＝２ｙ0 −ｙ2 となる。同様にして、ｙ-M＝ｙ0 ＋ＢＭ´であり、ＢＭ＝ＢＭ´、かつＢＭ＝ｙ0 −ｙM であることから、ｙ-M＝ｙ0 ＋(ｙ0 −ｙM )となり、ｙ-M＝２ｙ0 −ｙM となる。このように、（式４）のようなデータｙ-1,ｙ-2,…,ｙ-Mを仮想的に追加し、移動平均後のデータＹ0 〜ＹM-1 を算出する。
【００５６】
【数４】
2006340225.tif 000006
【００５７】
上述したように、仮想的データを追加することによって、有効範囲内（Ｙ0 〜ＹN ）のデータの擬似連続性（滑らかさ）が保証される。換言すれば、本例における仮想的データの追加を行なわない場合は、上限の方はＹN-M を境界に、下限の方はＹM を境界に、データが擬似的に不連続（滑らかでなくなる）となってしまう。
【００５８】
また、追加した仮想的データは、ｙ0 、ｙN に対して対称であることから、データの端点、すなわちＹN がｙN と等値、Ｙ0 がｙ0 と等値となる。端点は、一般に、表示装置の潜在能力の限界（上限、下限）であるから、本例の平滑化処理においては移動平均を行なった場合であっても元のデータから変化しないという特徴を有するため好適である。
【００５９】
次に、上述のように構成された本発明に係る表示装置の動作について説明する。
図５は本発明の実施の形態１に係る表示装置において階調補正テーブルの修正処理を行なう場合のフローチャートである。
制御部１０は、修正処理実行キー１４ａの押下の有無に基づいて、階調補正テーブルの修正処理を行なうか否かを判断する（ステップＳ１）。修正処理を行なわない場合（Ｓ１：ＮＯ）は処理を終了するが、修正処理を行なう場合（Ｓ１：ＹＥＳ）、以下の修正処理を行なった回数を把握すべく、先ず、修正処理数を０に設定し（ステップＳ２）、対象の階調補正テーブルの隣り合う入力レベルに対応する出力レベルの差分処理を行なう（ステップＳ３）。
【００６０】
そして、差分処理を行なった各データ点（入力レベル）における差分値が０以下であるか否かを判定する（ステップＳ４）。階調補正テーブルにおいて、出力レベルは入力レベルに対して単調に増加する曲線であることから、各データ点における差分値が０以下である場合は、階調補正テーブルが異常であると判定することができる。
【００６１】
各データ点における差分値が正であると判定された場合（Ｓ４：ＮＯ）、対象の階調補正テーブルが異常であると判断することができないので、修正処理を行なうことなく処理を終了する。一方、各データ点における差分値が０以下であると判定された場合（Ｓ４：ＹＥＳ）、修正処理数が規定数Ｎ以下であるか否かを判定し（ステップＳ５）、規定数Ｎ以下であると判定された場合（Ｓ５：ＹＥＳ）、対象の階調補正テーブルの修正処理を行なう（ステップＳ６）。そして、修正処理数をインクリメントし（ステップＳ７）、処理をＳ３へ戻す。つまり、Ｓ６にて修正処理された階調補正テーブルが正常であるとは限らないことから、処理をＳ３へ戻して修正処理された階調補正テーブルが異常でないか否かを再度判定するのである。
【００６２】
一方、修正処理数が規定数Ｎを越えていると判定された場合（Ｓ５：ＮＯ）は、修正処理を行なうことなく処理を終了する。つまり、差分値が０以下である場合は、対象の階調補正テーブルが異常であると判断することができるので修正処理を行なうが、修正処理は元のデータを用いて平滑化処理することから、処理を繰り返すことによって階調補正テーブルの意味を無くしてしまう虞があるため、修正処理数が規定数Ｎを越えている場合は修正処理を行なわない。規定数Ｎは、利用者の好みに応じて設定を適宜変更できるようにしておく。
【００６３】
以上のように、本実施の形態によれば、階調補正テーブルの２つの入力レベルに対応する出力レベルの差分処理という極めて簡単な処理によって、階調補正テーブルが異常であるか否かを素早く判定することができる。また、従来、映像を表示した場合であっても、映像信号の信号パターンによっては、階調補正テーブルの異常を利用者が把握することができない虞があったが、数値演算によって階調補正テーブルの異常を判断することから、そのような虞は全くない。
【００６４】
なお、本実施形態では、補正曲線に対応する階調補正テーブルに基づいて映像信号の信号レベルが補正されるような形態について説明したが、入力レベルと出力レベルとが関連付けられた補正曲線に基づいて映像信号の信号レベルが補正されるような形態では、図６に示すように、補正曲線の出力レベルを入力レベルで微分処理する。微分値が正である場合は補正曲線が右上がりであることが、微分値が負である場合は補正曲線が右下がりであることがわかる。一般に、補正曲線は、単調に増加（右上がり）、又は単調に減少（右下がり）でない場合、明暗の反転が生じて色再現などに支障をきたしてしまうので、微分値の正負に基づいて補正曲線が異常であるか否かを判定する。したがって、補正曲線の微分という極めて簡単な処理によって、補正曲線が異常であるか否かを素早く判定することができる（以下の実施形態でも同様）。
【００６５】
（実施の形態２）
図７は本発明の実施の形態２に係る映像判定装置の構成の一例を示すブロック図であり、いわゆる汎用コンピュータに、映像判定装置としての機能をコンピュータで実現するためのコンピュータプログラムが実行されている場合である。
本発明の実施の形態２に係る映像判定装置２は、ＣＰＵで構成された制御部２０を備えている。制御部２０は、ＲＯＭ２１，ＲＡＭ２２，通信部２３，操作部２４，記憶部２５，データ処理部２６と接続され、これら各部を制御し、ＲＯＭ２１に予め格納されているコンピュータプログラムに従って種々の機能を実行する。ＲＡＭ２２は、制御部２０によるコンピュータプログラムの実行時に発生する一時的なデータを記憶するもので、例えばＤＲＡＭ、ＳＤＲＡＭなどにより構成される。
【００６６】
通信部２３は、接続ケーブルを介して表示装置６と接続するためのものであり、表示装置６の間で映像信号の信号レベルを補正するための階調補正テーブルに係るデータの送受信を行なう。ここでは、単なる接続ケーブルを介して接続するようにしたが、ＬＡＮのような通信ネットワークで接続されている形態であってもよい。
【００６７】
操作部２４は、表示装置１を操作するための各種のファンクションキーを備えており、利用者は所望の階調補正テーブルを作成することができる。また、本発明に特徴的なファンクションキーは修正処理実行キー２４ａであり、利用者によって修正処理実行キー２４ａが押下されることで、作成した階調補正テーブルの修正処理が実行される。記憶部２５は、表示装置６の利用者などが操作部２４によって独自に作成した１又は複数の階調補正テーブル（ユーザ階調補正テーブル）を格納するためのものである。
【００６８】
データ処理部２６は、記憶部２５に記憶されている階調補正テーブル（例えばユーザ階調補正テーブル）が異常であるか否かを判定し、異常であると判定した場合に階調補正テーブルを修正処理するためのブロックであって、差分処理部２６ａ，判定処理部２６ｂ，修正処理部２６ｃを備えている。修正処理部２６ａ，判定処理部２６ｂ，修正処理部２６ｃは、実施の形態１の修正処理部１８ａ，判定処理部１８ｂ，修正処理部１８ｃと同様であるためその説明を省略する。
【００６９】
以上のように、本実施の形態によれば、階調補正テーブルの２つの入力レベルに対応する出力レベルの差分処理という極めて簡単な処理によって、階調補正テーブルが異常であるか否かを素早く判定することができる。また、階調補正テーブルが異常であるか否かを判定できることから、表示装置６へ異常な階調補正テーブルを送信してしまうことがない。
【００７０】
（実施の形態３）
本発明の実施の形態３に係る表示装置は、実施の形態１に係る表示装置１の構成（図１参照）と同様である。実施の形態３は、図１において、階調補正テーブル作成装置５で６４階調用の階調補正テーブルが作成され、作成された階調補正テーブルが表示装置に与えられた場合であり、階調補正テーブルの２つの入力レベルに対応する出力レベルを差分処理し、差分処理された階調補正テーブルの各点における差分値の正負に基づいて階調補正テーブルが異常であるか否かを判定し、さらに、階調補正テーブルが異常であると判定された場合に、階調補正テーブルを修正処理する。
【００７１】
本例では、階調補正テーブルが異常であると判定された場合に、補間処理を行なうことによって階調補正テーブルの修正を行なう。図８は本発明の実施の形態３に係る補間処理を説明するための説明図である。
先ず、与えられた６４階調用の階調補正テーブルの０レベルを２５６階調での０レベルに、６４階調用の階調補正テーブルの１レベルを２５６階調での４レベルに、…、６４階調での６３レベルを２５６階調での２５２レベルに設定する（図８：黒丸）。
【００７２】
次に、これらのデータをデータサンプルとして多項式近似を行なう（図８：一点鎖線）。多項式の次数は、利用者によって適宜設定できるようにしておく。そして、多項式近似によって算出された多項式に基づいて、階調補正テーブルの未設定データを追加する（図８：白丸）。もしろん、補間処理としては、多項式近似を行なうようにしたが、線形近似（１次の多項式ともいえる）によって近似式を算出して適宜サンプリング処理を行なえば良く、補間処理の種類が限定されるものではない。
【００７３】
以上のように、本実施の形態によれば、６４階調用の階調補正テーブルを補間処理して２５６階調用の階調補正テーブルに修正することから、保持している表示能力を発揮することができる。とくに、表示装置として利用する場合、第１記憶部１７ａに６４階調用の階調補正テーブルを記憶しておき、この階調補正テーブルを読み出し、上述したように修正処理を実行して２５６階調用の階調補正テーブルを作成して第２記憶部１７ｂに記憶するようにし、第２記憶部１７ｂに記憶されている２５６階調用の階調補正テーブルに基づいて映像信号を補正するようにすれば、第１記憶部１７ａのメモリ容量を抑えることができるので、装置の低コスト化を図ることができる。
【００７４】
なお、各実施の形態では、データ処理部１８（２６）が差分処理部１８ａ（２６ａ）、判定処理部１８ｂ（２６ｂ）及び修正処理部１８ｃ（２６ｃ）を備える場合について説明したが、差分処理部１８ａ（２６ａ）及び判定処理部１８ｂ（２６ｂ）から構成されるようなデータ処理部は、階調補正テーブルが異常であるか否かを、階調補正テーブルの差分という極めて簡単な方法によって判定することができ、広く用いることができる。
【００７５】
また、各実施の形態では、階調補正テーブルが入力レベルに応じて単調に増加するものとしたが、表示装置によっては単調に減少するものがあり、その場合には、各データ点における差分値が０以上の場合に、対象の階調補正テーブルが異常であると判断するようにする。
【図面の簡単な説明】
【００７６】
【図１】本発明の実施の形態１に係る映像判定装置が搭載された表示装置の構成を含むシステムの一例を示すブロック図である。
【図２】差分処理部の動作を説明するための説明図である。
【図３】移動平均による平滑化処理を説明するための説明図である。
【図４】移動平均による平滑化処理を説明するための説明図である。
【図５】本発明の実施の形態１に係る表示装置において階調補正テーブルの修正処理を行なう場合のフローチャートである。
【図６】微分処理によって補正曲線が異常であるか否かを判定する場合についての説明図である。
【図７】本発明の実施の形態２に係る映像判定装置の構成の一例を示すブロック図である。
【図８】本発明の実施の形態３に係る補間処理を説明するための説明図である。
【図９】補正曲線及び階調補正テーブルの一例を示す図である。
【図１０】階調補正テーブルの異常時の一例を示す図である。
【図１１】表示装置の不具合例を示す図である。
【図１２】階調補正テーブルの異常時の一例を示す図である。
【符号の説明】
【００７７】
１，６  表示装置
２  映像判定装置
５  階調補正テーブル作成装置
１０，２０  制御部
１１，２１  ＲＯＭ
１２，２２  ＲＡＭ
１３，２３  通信部
１４，２４  操作部
１４ａ，２４ａ  修正処理実行キー
１５  映像信号入力部
１６  映像信号出力部（表示部）
１７，２５  記憶部
１７ａ  第１記憶部
１７ｂ  第２記憶部
１８，２６  データ処理部
１８ａ，２６ａ  差分処理部
１８ｂ，２６ｂ  判定処理部
１８ｃ，２６ｃ  修正処理部
【図１】
2006340225.tif 000007
【図２】
2006340225.tif 000008
【図３】
2006340225.tif 000009
【図４】
2006340225.tif 000010
【図５】
2006340225.tif 000011
【図６】
2006340225.tif 000012
【図７】
2006340225.tif 000013
【図８】
2006340225.tif 000014
【図９】
2006340225.tif 000015
【図１０】
2006340225.tif 000016
【図１１】
2006340225.tif 000017
【図１２】
2006340225.tif 000018